(57)【要約】【課題】ガス警報器などの警報器において、点検動作の表示と警報の履歴である警報原因情報の表示とを容易に選択できるようにする。【解決手段】引き紐を引っ張って点検スイッチ４０をＯＮにし、ＯＮ状態が一定時間継続すると単独点検を確定し、さらに一定時間継続すると連動点検を確定する。点検スイッチ４０のＯＮからこのＯＮ状態が所定時間継続すると、警報原因表示モードを確定する。単独点検の確定の直後に点検スイッチ４０をＯＦＦにすると単独点検処理を行う。連動点検の確定の直後に点検スイッチ４０をＯＦＦにすると連動点検処理を行う。警報原因表示モードの確定の直後に点検スイッチ４０をＯＦＦにすると警報原因表示モードに移行する。警報原因表示モードでは、メモリ部２４に記憶されている警報原因情報２４ａを読み出して、警報原因情報を表示する。また、点検スイッチ４０のＯＮ／ＯＦＦを繰り返す毎に、過去の警報原因を順番に表示するとともに、電源ランプ５０の点灯回数によって順番を表示する。【選択図】図３
2009059156.tif 000002
【特許請求の範囲】
【請求項１】
監視領域における異常発生を検出する異常発生検出手段と、該異常発生検出手段で検出した異常発生を警報する警報手段を有する警報器において、
前記警報手段が警報した原因を示す警報原因情報を記憶する警報原因情報記憶手段と、
外部からの操作により開始信号を入力する開始信号入力手段と、
外部からの操作により選択信号を入力する選択信号入力手段と、
前記異常発生検出手段及び前記警報手段の少なくとも一方の点検を行う点検手段と、
前記警報原因情報記憶手段が記憶している警報原因情報を通知する警報原因情報通知手段と、
前記点検手段の動作と前記警報原因情報通知手段の動作を制御する制御手段と、
を備え、
前記制御手段は、前記開始信号が入力されてから所定時間内に前記選択信号が入力されると前記点検手段と前記警報原因情報通知手段の一方の動作を行い、該所定時間経過後に前記選択信号が入力されると前記点検手段と前記警報原因情報通知手段の他方の動作をおこなうことを特徴とする警報器。
【請求項２】
前記制御手段が、前記開始信号が入力されてから所定時間が経過したタイミングを音声及び／または表示にて通知する機能を有することを特徴とする請求項１に記載の警報器。
【請求項３】
前記開始信号入力手段と前記選択信号入力手段とが、点検および警報音停止機能を兼用した一つのスイッチであって、前記開始信号及び選択信号の一方が該スイッチのオン信号であり、該開始信号及び選択信号の他方が該スイッチのオフ信号であることを特徴とする請求項１または２に記載の警報器。
【請求項４】
前記警報原因情報通知手段の動作時に、前記警報原因情報記憶手段に記憶されている警報原因情報を切り換えて通知することを特徴とする請求項１乃至３のいずれか一項に記載の警報器。
【請求項５】
請求項４に記載の警報器であって、電源ランプを備え、
前記警報原因情報記憶手段に記憶されている警報原因情報を切り換えて通知する際に、該警報原因情報の履歴の順番を前記電源ランプの点灯回数にて表示することを特徴とする警報器。
【請求項６】
請求項４または５に記載の警報器であって、
前記警報原因情報通知手段の動作時に、前記選択信号入力手段で選択信号が入力される毎に、前記警報原因情報記憶手段に記憶されている警報原因情報を切り換えて通知することを特徴とする警報器。
【発明の詳細な説明】
【技術分野】
【０００１】
本発明は、監視領域における異常発生を検出して警報する警報器に関する。
【背景技術】
【０００２】
警報器は、監視領域に設置されると、その監視領域における例えば、ガス、二酸化炭素、一酸化炭素等の漏れ発生や火災の発生などの各種異常発生を検出して警報を行うものである。そして、自動復帰機能を有する警報器は、所定復帰条件を満たすと警報を解除して復帰してしまうため、ユーザがらの通報により作業員が現場に到着しても警報が解除されている場合があり、本当に警報していたのか、どの警報が行われていたのか等を作業員が把握できずに適切な処置を行えないという問題があった。特に、火災警報、都市ガス警報、ＣＯガス警報等の複数種類の警報を行う複合型の警報器では、何の警報を行っていたかを特定できないと、警報の原因調査を行うことが困難であった。
【０００３】
そこで、特許文献１に示す警報器は、その記憶部に動作履歴情報及び警報停止履歴情報を記憶しておき、点検処理を行った後に動作履歴情報及び警報停止履歴情報を表示するようにしてきた。
【特許文献１】特開２００５−２９２９６９号公報
【発明の開示】
【発明が解決しようとする課題】
【０００４】
しかしながら、上述した従来の警報器では、点検スイッチの操作により点検処理を行った後、そのまま自動的に動作履歴情報及び警報停止履歴情報を表示するようにしている。このため、どこまでが点検動作で、どこからが警報原因情報の表示動作であるかを作業者がわかり辛いという問題があった。
【０００５】
本発明は、点検動作と警報原因情報の通知動作を行う警報器において、作業者が点検動作と警報原因情報の通知動作とを容易に区別できるようにすることを課題とする。
【課題を解決するための手段】
【０００６】
請求項１の警報器は、監視領域における異常発生を検出する異常発生検出手段と、該異常発生検出手段で検出した異常発生を警報する警報手段を有する警報器において、前記警報手段が警報した原因を示す警報原因情報を記憶する警報原因情報記憶手段と、外部からの操作により開始信号を入力する開始信号入力手段と、外部からの操作により選択信号を入力する選択信号入力手段と、前記異常発生検出手段及び前記警報手段の少なくとも一方の点検を行う点検手段と、前記警報原因情報記憶手段が記憶している警報原因情報を通知する警報原因情報通知手段と、前記点検手段の動作と前記警報原因情報通知手段の動作を制御する制御手段と、を備え、前記制御手段は、前記開始信号が入力されてから所定時間内に前記選択信号が入力されると前記点検手段と前記警報原因情報通知手段の一方の動作を行い、該所定時間経過後に前記選択信号が入力されると前記点検手段と前記警報原因情報通知手段の他方の動作をおこなうことを特徴とする。
【０００７】
請求項２の警報器は、請求項１に記載の警報器であって、前記制御手段が、前記開始信号が入力されてから所定時間が経過したタイミングを音声及び／または表示にて通知する機能を有することを特徴とする。
【０００８】
請求項３の警報器は、請求項１または２に記載の警報器であって、前記開始信号入力手段と前記選択信号入力手段とが、点検および警報音停止機能を兼用した一つのスイッチであって、前記開始信号及び選択信号の一方が該スイッチのオン信号であり、該開始信号及び選択信号の他方が該スイッチのオフ信号であることを特徴とする。
【０００９】
請求項４の警報器は、請求項１乃至３のいずれか一項に記載の警報器であって、前記警報原因情報通知手段の動作時に、前記警報原因情報記憶手段に記憶されている警報原因情報を切り換えて通知することを特徴とする。
【００１０】
請求項５の警報器は、請求項４に記載の警報器であって、電源ランプを備え、前記警報原因情報記憶手段に記憶されている警報原因情報を切り換えて通知する際に、該警報原因情報の履歴の順番を前記電源ランプの点灯回数にて表示することを特徴とする。
【００１１】
請求項６の警報器は、請求項４または５に記載の警報器であって、前記警報原因情報通知手段の動作時に、前記選択信号入力手段で選択信号が入力される毎に、前記警報原因情報記憶手段に記憶されている警報原因情報を切り換えて通知することを特徴とする。
【発明の効果】
【００１２】
請求項１の警報器によれば、開始信号入力手段の操作で開始信号を入力して、所定時間経過するまでに選択信号入力手段を操作して選択信号を入力すると点検手段または警報原因情報通知手段の一方の動作が行われ、所定時間が経過してから選択信号入力手段を操作して選択信号を入力すると他方の動作が行われるので、選択信号入力手段の操作タイミングで点検手段の動作と警報原因情報通知手段の動作、すなわち点検動作と警報履歴の通知動作とを容易に区別することができる。
【００１３】
請求項２の警報器によれば、請求項１の効果に加えて、所定時間の経過のタイミングが音声及び／または表示にて通知されるので、点検手段の動作と警報原因情報通知手段の動作の選択を確実に行うことができる。
【００１４】
請求項３の警報器によれば、請求項１または２の効果に加えて、開始信号入力手段と選択信号入力手段とが一の点検スイッチであるので、一つの点検スイッチのオン／オフ操作で開始信号と選択信号を入力できるので操作が簡単になるとともに、既存の点検スイッチを利用できるので部品点数を低減することができる。
【００１５】
請求項４の警報器によれば、請求項１、２または３の効果に加えて、複数の警報原因情報がある場合に、各警報履歴を順次確認することができる。
【００１６】
請求項５の警報器によれば、請求項４の効果に加えて、さらに、電源ランプの点灯回数により警報原因情報の履歴の順番を容易に確認することができる。
【００１７】
請求項６の警報器によれば、請求項４または５の効果に加えて、複数の警報原因情報がある場合に、警報履歴の通知動作時に選択信号入力手段で選択信号が入力される毎に各警報履歴を順次切り換えて通知するので、各警報履歴を作業者の意図によって順次確認することができる。
【発明を実施するための最良の形態】
【００１８】
次に、本発明の実施の形態を図面を参照して説明する。図１は本発明の警報器の基本構成を示す構成図、図２は実施の形態の警報機としてのガス警報器の外観を示す正面図、図３は同ガス警報器の要部ブロック図である。
【００１９】
図２及び図３において、火災検知機能を有するガス警報器１は、略矩形状に形成されており、監視領域の壁や天井等に設置される。なお、監視領域とは、ガス警報器１の監視が可能な設置場所である部屋、範囲等を示している。
【００２０】
ガス警報器１は、センサ部１０と、マイクロプロセッサユニット（ＭＰＵ）２０と、警報部３０と、点検スイッチ４０と、電源ランプ５０と、を有している。そして、ガス警報器１は、内蔵する電池又は商用電源等から供給される電力によって動作している。
【００２１】
センサ部１０は、ＭＰＵ２０と電気的に接続されている。センサ部１０は、例えば、一酸化炭素（以下、ＣＯともいう。）の酸化反応により、ＣＯ濃度に応じた電流が流れる電気化学式のセンサ、熱センサ、煙センサ等の火災の発生を検出するための火災センサ等を有しており、異常発生を検出するためのセンサ信号をＭＰＵ２０に出力している。
【００２２】
このようにセンサ部１０は、検出対象となる異常発生（状態変化等）の検出が可能なセンサが用いられる。そして、ＭＰＵ２０のＣＰＵ２１は、入力されたセンサ信号に基づいて、監視領域におけるＣＯ濃度、温度等を検出し、それによりＣＯガス漏れ、火災の発生等の異常状態の発生を検出している。このように本実施の形態では、センサ部１０とＣＰＵ２１で請求項中の異常発生検出手段を実現する場合について説明するが、例えば、センサ部１０で異常発生を検出したときに、異常発生検出信号をＭＰＵ２０に出力することで、センサ部のみで前記異常発生検出手段を実現する構成とすることもできる。
【００２３】
ＭＰＵ２０は、周知のように、予め定めたプログラムに従って各種の処理や制御などを行う中央円座処理装置（ＣＰＵ）２１、ＣＰＵ２１のためのプログラム等を格納した読み出し専用のメモリであるＲＯＭ２２、各種のデータを格納するとともにＣＰＵ２１の処理作業に必要なエリアを有する読み出し書き込み自在のメモリであるＲＡＭ２３等を有して構成している。そして、ＲＯＭ２２には、上述した図１に示す請求項中の制御手段２１ａ、警報原因情報通知手段２１ｂ、点検手段２１ｃ等の各種手段としてＣＰＵ２１を機能させるための点検・警報原因通知処理プログラムを記憶している。
【００２４】
ＭＰＵ２０には、装置本体が電源オフ状態の間も記憶内容の保持が可能な電気的消去／書き換え可能な読み出し専用のメモリ部２４が接続されている。メモリ部２４には、ＥＥＰＲＯＭ等が用いられ、警報原因情報２４ａ等の各種情報を記憶している。該警報原因情報２４ａは、ＣＰＵ２１によって警報部３０で警報を行う度に、その警報原因が追加更新される。
【００２５】
警報原因情報２４ａは、それまでに発生している警報の原因を通知するためのデータを有している。本実施の形態における警報の原因としては、火災、ＣＯ、都市ガス等を原因とし、その識別が可能な識別データ等を警報原因情報２４ａに設定している。そして、警報原因情報２４ａは、現在までの最後の警報原因としたり、現在までの複数回数分の警報原因とするなど警報器１の仕様等に応じて任意に設定することができる。なお、警報原因情報２４ａの構成は、警報原因を識別するデータ以外に、警報発生日時等の各種データを追加するなど任意に設定される。
【００２６】
警報部３０は、ＭＰＵ２０と電気的に接続され、かつ、警報表示部３１と、警報音出力部３２と、を有している。警報表示部３１は、図２に示すように、赤色等の火災警報ランプ３１ａと、黄色等のＣＯガス警報ランプ３１ｂと、赤色等の都市ガス警報ランプ３１ｃと、を有している。火災警報ランプ３１ａは、火災発生（異常発生）の検出に応じてＣＰＵ２１によって点灯される。ＣＯガス警報ランプ３１ｂは、ＣＯガス漏れ発生（異常発生）の検出に応じてＣＰＵ２１によって点灯される。都市ガス警報ランプ３１ｃは、都市ガス漏れ発生（異常発生）の検出に応じてＣＰＵ２１によって点灯される。
【００２７】
警報音出力部３２は、ＭＰＵ２０と電気的に接続され、かつ、図示しない警報音声出力回路とスピーカとを有している。前記警報音声出力回路は、ＣＰＵ２１によって制御され、ＣＰＵ２１によって要求された警報音声、警報音、後述の確定音等に対応した信号を前記スピーカに出力する。前記スピーカは、前記警報音声出力回路から入力された信号に基づいて外部に音声出力する。
【００２８】
このように本実施の形態では、警報表示部３１と警報音出力部３２とを有する警報部３０によって請求項中の警報手段を実現する場合について説明するが、警報表示部３１と警報音出力部３２との何れか一方からなる警報部３０で実現するなど種々異なる形態とすることができる。
【００２９】
点検スイッチ４０は、ＭＰＵ２０と電気的に接続され、かつ、図２に示すように、警報器１の外部に引き出された引き紐４１が接続され、作業者等によって点検時に引き紐４１を介して押下される操作スイッチ等が用いられる。この点検スイッチ４０は、引き紐４１が引かれたときにオン状態となり、このオン状態となったことを示すオン信号（立ち上がり信号）をＭＰＵ２０に出力する。また、引き紐４１を放したときオフ状態となったことを示すオフ信号（立ち下がり信号）をＭＰＵ２０に出力する。ＣＰＵ２１は、点検スイッチ４０からのオン信号を「選択信号」として入力し、点検スイッチ４０からのオフ信号を「選択信号」として入力する。この点検スイッチ４０は請求項中の開始信号入力手段及び選択信号入力手段を構成している。
【００３０】
電源ランプ５０は、ＭＰＵ２０と電気的に接続され、かつ、ＣＰＵ２１によって点灯／消灯が制御される緑色のＬＥＤ等が用いられる。電源ランプ５０は、ガス警報器１が電力の供給を受けて動作している通常モードのときは点灯状態、点検モードのときは点滅状態となる。また、後述の第２実施例においては、警報原因情報を通知する警報原因通知モードでは、警報原因情報の発生順番を示すために点灯させる。
【００３１】
次に、図４のフローチャートに基づいて本発明に係るガス警報器１の動作を説明する。なお、この実施の形態では、点検スイッチ４０のＯＮ状態（またはＯＦＦ状態）が予め決められた各一定時間継続した場合にその状態が確定したとし、単独点検、連動点検及び警報原因表示モードの選択が可能になるまでの各一定時間ＯＮ状態が確定することを、それぞれ、「単独点検が確定する」、「連動点検が確定する」及び「警報原因表示モードが確定する」と称する。
【００３２】
図４はＣＰＵ２１が実行する処理の要部フローチャートであり、例えばガス警報器１が監視領域に設置され、出荷モードから通常モードに切り換えられると起動される。まず、ＣＰＵ２１は、ステップＳ１において、点検スイッチ４０がＯＮされたか（引き紐が惹かれたか）否かを判定する。点検スイッチ４０がＯＮとなっていない、すなわち開始信号が検出されていないと判定された場合、ステップＳ１６に進む。なお、ステップＳ１６では、その他の処理を行ってステップＳ１に戻るが、このその他の処理では、通常モードの監視処理や故障検出処理などを行う。
【００３３】
一方、点検スイッチ４０がＯＮされた、すなわち開始信号（ＯＮの立ち上がり）を検出したと判定された場合、ステップＳ２でタイマをスタートさせてステップＳ３に進む。ステップＳ３では、点検スイッチ４０がＯＦＦとなったかを判定し、点検スイッチ４０がＯＦＦとなっていれば、処理を途中で解除したことになるのでステップＳ１６に進む。点検スイッチ４０がＯＦＦとなっていない、すなわち引き紐４１を引っ張った状態が継続されていると判定された場合、ステップＳ４に進み、タイマの計時時間により単独点検が確定したかを判定する。単独点検が確定していなければステップＳ３に戻り、ＯＮ状態で一定時間が経過して単独点検が確定していれば、ステップＳ５で「ピッ」という確定音を出力してステップＳ６に進む。
【００３４】
ステップＳ６では、点検スイッチ４０がＯＦＦとなったかを判定し、点検スイッチ４０がＯＦＦとなっていればステップＳ７で単独点検処理を行ってステップＳ１６に進む。点検スイッチ４０がＯＦＦとなっていない、すなわち引き紐４１を引っ張った状態が継続されていると判定された場合、ステップＳ８に進み、タイマの計時時間により連動点検が確定したかを判定する。連動点検が確定していなければステップＳ６に戻り、ＯＮ状態で一定時間が経過して連動点検が確定していれば、ステップＳ９で「ピッピッ」という確定音を出力してステップＳ１０に進む。
【００３５】
ステップＳ１０では、点検スイッチ４０がＯＦＦとなったかを判定し、点検スイッチ４０がＯＦＦとなっていればステップＳ１１で連動点検処理を行ってステップＳ１６に進む。点検スイッチ４０がＯＦＦとなっていない、すなわち引き紐４１を引っ張った状態が継続されていると判定された場合、ステップＳ１２に進み、タイマの計時時間により警報原因表示モードが確定したかを判定する。警報原因表示モードが確定していなければステップＳ１１に戻り、ＯＮ状態で所定時間が経過して警報原因表示モードが確定していれば、ステップＳ１３で「ピッピッピッ」という確定音を出力してステップＳ１４に進む。
【００３６】
ステップＳ１４では、点検スイッチ４０がＯＦＦとなるのを監視し、点検スイッチ４０がＯＦＦとなれば、ステップＳ１５で警報原因通知モードに移行し、後述各実施例に示す警報原因通知処理を行ってステップＳ１６に進む。
【００３７】
以上のように、ステップＳ１２で警報原因表示モードが確定している場合は、開始信号の入力から所定時間（後述の第１実施例では６秒、第２実施例では１０秒）が経過した場合であり、このステップＳ１２以前に、ステップＳ６あるいはステップＳ９で点検スイッチ４０がＯＦＦとなっていると判定された場合（選択信号が入力された場合）、点検処理が行われる。一方、ステップＳ１２以降すなわち所定時間経過後のステップＳ１４で点検スイッチ４０がＯＦＦとなった場合（選択信号が入力された場合）、警報原因通知モードとなる。
【００３８】
次に、上述した構成による実施例１に係る警報器１の動作（作用）の一例を、図５のタイミングチャートを参照して説明する。なお、このタイミングチャートは、警報原因表示モードを選択した場合の例である。
【００３９】
ガス警報器１は、時間ｔ１の点検スイッチ４０のＯＮ（開始信号の入力）から１秒間そのＯＮ状態が継続すると、時間ｔ２において単独点検を確定して単独点検処理を可能にし、警報音出力部３２から「ピッ」という確定音を出力する。なお、この確定音から連動点検が確定する前に点検スイッチ４０をＯＦＦにすると単独点検が行われる。次に、点検スイッチ４０のＯＮ状態が継続したまま単独点検の確定から２秒経過すると、時間ｔ３において連動点検を確定して連動点検処理を可能にし、警報音出力部３２から「ピッピッ」という確定音を出力する。なお、この確定音から警報原因表示モードが確定する前に点検スイッチ４０をＯＦＦにすると連動点検が行われる。
【００４０】
上記単独点検及び連動点検の確定の時間が経過すると、すなわち点検スイッチ４０のＯＮからそのＯＮ状態が継続したまま６秒（請求項の所定時間の例）経過すると、時間ｔ４において警報原因表示モードを確定して警報原因表示処理を可能とし、警報音出力部３２から「ピッピッピッ」という確定音を出力する。
【００４１】
そして、その後、時間ｔ５で点検スイッチ４０のＯＦＦ（選択信号の入力）が検出されると、警報原因表示モードが選択されたので、警報原因表示処理を開始する。この実施例１の警報原因表示処理では、最新の火災警報と最新のＣＯガス警報を同時に表示する。火災警報表示は火災警報ランプ３１ａを点灯または点滅し、ＣＯガス警報表示はＣＯガス警報ランプ３１ｂを点灯または点滅する。そして、例えば１０秒間表示したら表示を停止し、時間ｔ６で、警報音出力部３２から「ピー」という終了音を出力する。
【００４２】
次に、実施例２に係る警報器１の動作（作用）の一例を、図６のタイミングチャートを参照して説明する。
【００４３】
ガス警報器１において、電源ランプ５０は点灯状態となっている。点検スイッチ４０のＯＮ（点検操作開始）から０．１４秒後の時間ｔ１において単独点検を確定して単独点検処理を可能にし、警報音出力部３２から「ピッ」という確定音を出力する。また、点検スイッチ４０のＯＮから３秒後の時間ｔ２において連動点検を確定して連動点検処理を可能にし、警報音出力部３２から「ピッピッ」という確定音を出力する。なお、これらの確定音の後に点検スイッチ４０をＯＦＦにすると単独点検あるいは連動点検が行われることは実施例１と同様である。
【００４４】
上記連動点検の確定後も点検スイッチ４０のＯＮ状態が維持され、そのＯＮから１０秒（請求項の所定時間の例）経過すると、時間ｔ３において警報原因表示モードを確定して警報原因表示処理を可能とし、警報音出力部３２から「ピッピッピッ」という確定音を出力する。
【００４５】
そして、その後の点検スイッチ４０のＯＦＦ（点検操作の解除）が検出され、５００ｍ秒後の時間ｔ４でＯＦＦを確定し、電源ランプ５０を消灯して警報原因表示モードを開始する。この実施例２の警報原因表示モードでは、警報原因を最新のものから順に表示する。この例では、最新の警報が火災センサの故障による警報、その前の警報が火災警報、さらにその前の警報がＣＯガス警報の場合を示す。
【００４６】
ます、警報原因表示モードになると、警報音出力部３２から故障音を２フレーズ発音するとともに、火災警報ランプ３１ａを５．５６Ｈｚで点滅することで故障による警報であることを表示する。火災警報ランプ３１ａの点滅は最大で１５秒間継続し、その１５秒間の最初に電源ランプ５０を１回点灯して最新の警報原因であること表示する。
【００４７】
この１５秒間の間に、点検スイッチ４０が操作されて時間ｔ５において０．１４秒のＯＮからＯＦＦが確定すると、警報音出力部３２から火災警報を２フレーズ発音するとともに、火災警報ランプ３１ａを点灯（フラッシュ）することで火災警報であることを表示する。この火災警報ランプ３１ａの点灯は最大で１５秒間継続し、その１５秒間の最初に電源ランプ５０を２回点灯して２回目の警報原因であることを表示する。
【００４８】
また、この１５秒間の間に、点検スイッチ４０が操作されて時間ｔ６において０．１４秒のＯＮからＯＦＦが確定すると、警報音出力部３２からＣＯ警報を２フレーズ発音するとともに、ＣＯガス警報ランプ３１ｂを点灯（フラッシュ）することでＣＯガス警報であることを表示する。このＣＯ警報ランプ３１ｂの点灯は最大で１５秒間継続し、その１５秒間の最初に電源ランプ５０を３回点灯して３回目の警報原因であることを表示する。
【００４９】
そして、この１５秒間の間に、点検スイッチ４０が操作されて時間ｔ７において０．１４秒のＯＮからＯＦＦが確定すると、時間ｔ４以降と同様に最新の警報原因の表示を行うが、このまま１５秒が経過すると、電源ランプ５０を点灯して、通常モードに戻る。なお、各警報原因の表示を行いそれぞれ点検スイッチ４０の操作を行わずに１５秒が経過した場合にも通常モードに戻る。
【００５０】
以上のように、この実施例２では、電源ランプ５０の点灯回数により、最新、２回目、３回目、…のように、警報原因が発生した順序の履歴を容易に確認することができる。
【００５１】
以上の実施例２（図６）では、点検スイッチ４０の０．１４秒のＯＮからＯＦＦのが確定する毎に（点検操作手段が操作される毎に）、警報原因の表示を切り換えるようにしているが、この点検スイッチ４０の操作に依らずに自動的に警報原因の表示を切り換えるようにしてもよい。
【００５２】
また、以上の実施の形態では、単独点検の確定及び連動点検の確定の後に警報原因表示モードを確定するようにしているが、点検スイッチ４０のＯＮ（開始信号の入力）が検出されると最初に警報原因表示モードの確定を行い、その後、所定時間経過するまでＯＮ状態が継続されている場合に、単独点検の確定及び連動点検の確定を行うようにしてもよい。この場合は、所定時間の経過前に点検スイッチ４０のＯＦＦ（選択信号の入力）が検出されると警報原因表示モードに移行し、単独点検の確定あるいは連動点検の確定の後に、点検スイッチ４０のＯＦＦ（選択信号の入力）が検出されると単独点検処理あるいは連動点検処理を行う。
【００５３】
また、実施の形態では、開始信号入力手段及び選択信号入力手段を一つの点検スイッチ４０で構成しているが、それぞれ専用のスイッチ等を設けて異なるスイッチで開始信号と選択信号を入力するようにしてもよい。
【００５４】
また、実施の形態では、警報原因表示モードが確定したこと、すなわち所定時間が経過したことを確定音で通知するようにしているが、表示により通知するようにしてもよいし、確定音と表示との両方で通知するようにしてもよい。
【００５５】
また、実施の形態では所定時間が経過したこをと通知するようにしているので、きわめて操作しやすくなっているが、この操作所定時間が経過したことを通知しなくても、作業者が所定時間が例えば何秒であるかを認識していて、その所定時間の経過前か経過後かを判断して選択信号を入力するようにすることもできる。
【００５６】
また、上述した実施の形態は本発明の代表的な形態を示したに過ぎず、本発明は、実施の形態に限定されるものではない。すなわち、本発明の骨子を逸脱しない範囲で種々変形して実施することができる。
【００５７】
また、上述した実施の形態では本発明をガス警報器に適用した場合について説明したが、本発明はこれに限定されるものではなく、例えば、火災警報器、ガス漏れ警報器などの点検モードを有する各種警報器に適用するこができる。
【図面の簡単な説明】
【００５８】
【図１】本発明の警報器の基本構成を示す構成図である。
【図２】実施の形態のガス警報器の外観を示す正面図である。
【図３】同ガス警報器の要部ブロック図である。
【図４】実施の形態における制御プログラムの要部フローチャートである。
【図５】実施の形態の実施例１に係るタイミングチャートである。
【図６】実施の形態の実施例２に係るタイミングチャートである。
【符号の説明】
【００５９】
１    警報器（ガス警報器）
１０  異常発生検出部（センサ部）
２１ａ  制御手段（ＣＰＵ）
２１ｂ  警報原因情報通知手段（ＣＰＵ）
２１ｃ  点検手段（ＣＰＵ）
２４ａ  警報原因情報記憶手段（メモリ部）
３０    警報手段（警報部）
４０    開始信号入力手段、選択信号入力手段（点検スイッチ）
【図１】
2009059156.tif 000003
【図２】
2009059156.tif 000004
【図３】
2009059156.tif 000005
【図４】
2009059156.tif 000006
【図５】
2009059156.tif 000007
【図６】
2009059156.tif 000008